(57)【要約】【課題】本発明は、光ケーブルの余長の量に柔軟に対応できるトレイの余長収納構造を提供することを目的としている。【解決手段】本発明に係るトレイの余長収納構造は、光ケーブルを接続する融着部４を配置した第一のトレイ１と、余長を収納する余長収納部を配置した第二のトレイ２と、光アダプタ６を配置する第三のトレイ３とから構成され、第一のトレイ１の内側側面には複数の凸片７を設け、第二のトレイ２と第三のトレイ３の側面８から底面９にかけて、第一のトレイ１の凸片７に嵌合可能である凹部１２を有する嵌合部１１を形成したことを特徴とする。【選択図】図１
2008058854.tif 000002
【特許請求の範囲】
【請求項１】
キャビネットに収納され、光通信機器を配置し、該光通信機器を配線する光ケーブルの余長を収納する機能を持つトレイの余長収納構造であって、前記光ケーブルを接続する融着部を配置した第一のトレイと、前記余長を収納する余長収納部を配置した第二のトレイと、光アダプタを配置する第三のトレイとから構成され、前記第一のトレイの内側側面には複数の凸片を設け、第二のトレイと第三のトレイの側面から底面にかけて、前記第一のトレイの凸片に嵌合可能である凹部を有する嵌合部を形成したことを特徴とする余長収納構造。
【発明の詳細な説明】
【技術分野】
【０００１】
本発明は、キャビネットに収納され、光通信機器を配置し、光通信機器を配線する光ケーブルの余長を収納する機能を持つトレイの余長収納構造に関するものである。
【背景技術】
【０００２】
従来、光通信機器のトレイへの配置は、キャビネットのパネル３１に融着トレイ３２を取り付け、融着トレイ３２の上面または、パネル３１の融着トレイ３２近傍にガイド３３を設け、ガイド３３に光ケーブルの余長を巻いて収納していた。光アダプタ３４は取り付け板３５に載置し、取り付け板３５をパネル３１に固定していた。
【非特許文献１】カワムララックカタログＮｏ．１０  ２００６年６月１日発行
【発明の開示】
【発明が解決しようとする課題】
【０００３】
光ケーブルはその特性上、折り曲げて収納することができないので、余長を収納するのにスペースが必要である。しかしながら、融着トレイ３２や、光アダプタ３４はそれぞれパネル３１に固定され、光ケーブルの余長を収納するスペースは限定されるため、余長を調節しながらの収納が困難であった。また、設置後に余長や光アダプタ３４をキャビネットから容易に取り外すことができなかった。他にも、余長を巻く作業中に、融着トレイ３２に収納された芯線が引っ張られて融着トレイ３２から飛び出し、外部に芯線が露出してしまう虞があった。
【課題を解決するための手段】
【０００４】
そこで本発明は、光ケーブルの余長の量に柔軟に対応できるトレイの余長収納構造を提供することを目的とし、その構造は、光ケーブルを接続する融着部を配置した第一のトレイと、余長を収納する余長収納部を配置した第二のトレイと、光アダプタを配置する第三のトレイとから構成され、第一のトレイの内側側面には複数の凸片を設け、第二のトレイと第三のトレイの側面から底面にかけて、第一のトレイの凸片に嵌合可能である凹部を有する嵌合部を形成したことを特徴とする。
【発明の効果】
【０００５】
本発明に係る余長収納構造は、光ケーブルを接続する融着部を配置した第一のトレイと、余長を収納する余長収納部を配置した第二のトレイと、光アダプタを配置する第三のトレイとから構成され、第一のトレイの内側側面には複数の凸片を設け、第二のトレイと第三のトレイの側面から底面にかけて、第一のトレイの凸片に嵌合可能である凹部を有する嵌合部を形成したため、トレイ全体の容量を調節でき、余長の量に柔軟に対応できるようになる。余長収納部分と光アダプタとが容易に取り外すことができるようになり、作業がしやすくなる。また、光ケーブルの芯線がトレイ外部に露出しないので、芯線とケーブルとの境目を気にすることなく、作業が容易に行える。光アダプタは容易に位置を変更できるため、光ケーブルの抜き差しのしやすいところに移動できる。
【発明を実施するための最良の形態】
【０００６】
光ケーブルの余長の量に柔軟に対応するという目的を、トレイの容量を変更できるようにすることで実現した。
【実施例１】
【０００７】
本発明に係る余長収納構造の実施例を図１〜図４の添付図面に基いて説明する。
【０００８】
本発明に係るキャビネットに収納される、機器を載置したトレイ部分は、第一のトレイ１、第二のトレイ２、第三のトレイ３で構成する。第一のトレイ１には光ケーブルを接続する融着部４を配置し、第二のトレイ２にはガイド５を配置し光ケーブルの余長収納スペースとし、第三のトレイ３には光アダプタ６を配置している。
【０００９】
第一のトレイ１の側面内側には複数の凸片７を形成する。第二と第三のトレイ２、３には、側面８から底面９にかけてスリット１０を入れトレイ２、３の弾性により可動に嵌合部１１を設ける。嵌合部１１の底面９側には第一のトレイ１に設けられた凸片７に対向する凹部１２を形成し、凸片７の範囲内の任意の位置で第一のトレイ１に、第二のトレイ２と第三のトレイ３とをそれぞれ取り付けることができる。
【００１０】
光ケーブルの余長がそれほど多くなく、第二のトレイ２上に収納できる場合には、図３に示すように、第二のトレイ２と第三のトレイ３を接合した状態で第一のトレイ１に重ねる。第一のトレイ１は、第二のトレイ２と第三のトレイ３とを接合した大きさと同じであるため、重ねたとき、第一のトレイ１からの配線ができるように、第一のトレイ１の側面には開口１３が設けられている。
【００１１】
また、余長の量が多く、第一のトレイ１と、第二のトレイ２と第三のトレイ３とを重ねて設置したときのスペースに収まらない場合には、図４に示すように、第二のトレイ２と第三のトレイ３とを離してそれぞれ第一のトレイ１に取り付ける。第二のトレイ２と第三のトレイ３とを離して設置することで、トレイ全体の容量が大きくなり、第二のトレイ２と第三のトレイ３との間の空間を余長スペースとして使うことができる。
【００１２】
光アダプタ６は、第三のトレイ３に単独で配置され、第三のトレイ３を移動させることで、光アダプタ６の位置も変更することができる。トレイの設置スペースが限定されているような場合には、第三のトレイ３を、第一のトレイ１の内側の方へ取り付ける。光アダプタ６への配線作業が頻繁にあるような場合には、第三のトレイ３を、第一のトレイ１の外側へ取り付け、光アダプタ６を露出させ、作業しやすい位置にする。
【００１３】
第一のトレイへの、第二のトレイと第三のトレイの取り付け、取り外し動作について説明する。トレイは弾性のある材質で構成されているため、トレイの側面にあるスリットで囲まれた部分を指で押すことで底面の嵌合部までたわむ。このたわみを利用して第一のトレイに、第二と第三のトレイをそれぞれ取り付けたり、取り外したりする。
【００１４】
また第一のトレイには第二と第三のトレイが重ねられ、第二のトレイで光ファイバの余長収納作業中に光ファイバを誤って引っ張ってしまっても、第一のトレイの融着部から芯線がトレイの外部へでることがなく、作業がしやすくなる。
【産業上の利用可能性】
【００１５】
機器を収納するためのトレイを分割し、それぞれのトレイの取り付け位置を変更可能とすることによって、余長の量に合わせてトレイ全体の容量を変えることができ、設置後の作業の時に、余長部分や光アダプタを容易に取り外せ、いろいろな状況に幅広く対応できる。
【図面の簡単な説明】
【００１６】
【図１】本発明に係る余長収納構造を示した説明図である。
【図２】図１におけるトレイを背面側からみた説明図である。
【図３】本発明に係るトレイの容量を最小にした状態を示す説明図である。
【図４】本発明に係るトレイの容量を大きくした状態を示す説明図である。
【図５】従来の余長収納構造を示す説明図である。
【符号の説明】
【００１７】
１    第一のトレイ
２    第二のトレイ
３    第三のトレイ
４    融着部
５    ガイド
６    光アダプタ
７    凸片
８    側面
９    底面
１０  スリット
１１  嵌合部
１２  凹部
１３  開口
【図１】
2008058854.tif 000003
【図２】
2008058854.tif 000004
【図３】
2008058854.tif 000005
【図４】
2008058854.tif 000006
【図５】
2008058854.tif 000007